(57)【要約】【課題】  バックアップ機能を備えたカメラにおいて、異常発生時等に警告表示等をすることで、ユーザーに適切な情報及びカメラ状態を認識させる。【解決手段】  バックアップ機能における、メイン記録用メディアに纏わる表示なのか、バックアップ記録用メディアに纏わる表示なのかを明確にする。【選択図】  図１
2007081964.tif 000002
【特許請求の範囲】
【請求項１】
表示機能を備えたカメラにおいて、
複数の記録媒体を装填することが可能な複数スロットを備え、
該スロットのうち、ある1つをメイン記録用、少なくとも1つ以上をバックアップ記録用としてデータを書き込む事が可能な書き込み手段と、
それぞれのスロットに記録媒体が装填されているか否かを検出する装填状態確認手段と、
それぞれのスロットに記録媒体の残容量を検出する残容量検出手段と、
それぞれのスロットに装填されている記録媒体の不具合を検出する不具合検出手段と、
該スロットのうち、ある1つをメイン記録用、少なくとも1つ以上をバックアップ記録用として設定するバックアップ機能設定手段と、
上記装填状態検出手段と、残容量検出手段と、不具合検出手段と、バックアップ機能設定手段より、特定の条件が発生したか否かを判断する条件判断手段と、
上記条件判断手段により、特定の条件が発生したと判断した場合は、警告表示する警告表示手段とを備えることを特徴とするカメラ。
【請求項２】
請求項1に記載のカメラにおいて、特定の条件とは、
バックアップ機能設定手段において、バックアップ機能を使用すると設定されている状況で、残容量検出手段により、バックアップ用記録媒体の残容量が一杯になった時であることを特徴とするカメラ。
【請求項３】
請求項1に記載のカメラにおいて、特定の条件とは、
バックアップ機能設定手段において、バックアップ機能を使用すると設定されている状況で、残容量検出手段により、バックアップ用記録媒体ではない、記録媒体の残容量が一杯になった時であることを特徴とするカメラ。
【請求項４】
請求項1に記載のカメラにおいて、特定の条件とは、
バックアップ機能設定手段において、バックアップ機能を使用すると設定されている状況で、不具合検出手段により、バックアップ用の記録媒体に何かしらの不具合が発生した時であることを特徴とするカメラ。
【請求項５】
請求項1に記載のカメラにおいて、特定の条件とは、
バックアップ機能設定手段において、バックアップ機能を使用すると設定されている状況で、不具合検出手段により、バックアップ用記録媒体ではない、記録媒体に何かしらの不具合が発生した時であることを特徴とするカメラ。
【請求項６】
請求項1に記載のカメラにおいて、特定の条件とは、
バックアップ機能設定手段において、バックアップ機能を使用すると設定されている状況で、カメラの電源がOff時に、装填状態検出手段により、バックアップ用記録媒体が交換され、その後カメラの電源がOnにされた時であることを特徴とするカメラ。
【請求項７】
請求項1に記載のカメラにおいて、特定の条件とは、
バックアップ機能設定手段において、バックアップ機能を使用すると設定されている状況で、カメラの電源がOff時に、装填状態検出手段により、バックアップ用記録媒体ではない、記録媒体が交換され、その後カメラの電源がOnにされた時であることを特徴とするカメラ。
【請求項８】
請求項1に記載のカメラにおいて、特定の条件とは、
バックアップ機能設定手段において、バックアップ機能を使用すると設定されている状況で、バックアップ用記録媒体が装填されていない状況で、カメラの電源をOnにされた時であることを特徴とするカメラ。
【請求項９】
請求項1に記載のカメラにおいて、特定の条件とは、
バックアップ機能設定手段において、バックアップ機能を使用すると設定されている状況で、バックアップ用記録媒体ではない記録媒体が装填されていない状況で、カメラの電源をOnにされた時であることを特徴とするカメラ。
【請求項１０】
請求項1に記載のカメラにおいて、特定の条件とは、
バックアップ機能設定手段において、バックアップ機能を使用すると設定されている状況で、残容量検出手段により、バックアップ用記録媒体、バックアップ用記録媒体ではない記録媒体の両方の残容量が一杯になったのを検出した時であることを特徴とするカメラ。
【請求項１１】
請求項1に記載のカメラにおいて、特定の条件とは、
バックアップ機能設定手段において、バックアップ機能を使用すると設定されている状況で、不具合検出手段により、バックアップ用記録媒体、バックアップ用記録媒体ではない記録媒体の両方の記録媒体に不具合が生じた時であることを特徴とするカメラ。
【請求項１２】
請求項1に記載のカメラにおいて、特定の条件とは、
バックアップ機能設定手段において、バックアップ機能を使用すると設定されている状況で、装填状態検出手段により、バックアップ用記録媒体、バックアップ用記録媒体ではない記録媒体の両方の記録媒体の装填を検出せぬまま、カメラの電源をOnした時であることを特徴とするカメラ。
【発明の詳細な説明】
【技術分野】
【０００１】
本発明は、複数の記録媒体を装填することが可能な複数スロットを備え、該複数スロットのうち、あるスロットをバックアップ用と機能させる場合における、警告・確認表示機能に関するものである。
【背景技術】
【０００２】
近年、デジタルスチルカメラにおける高画素化、多種に渡る記録媒体の登場により、複数の記録媒体を装填することが可能な複数スロットを備えたカメラが増加している。
【０００３】
また、記録媒体等の破損等により、記録媒体内の撮影データが二度と取り出せないという状況が発生することもあり、上記状況を防止するために複数スロットのうちのあるスロットをバックアップ用として機能させ、通常の記録媒体への撮影データ記録以外にも、同時にバックアップ用記録媒体にも撮影データを記録するという技術が考案されている。
【０００４】
従来例としては、例えば特許文献１と特許文献２と特許文献３をあげることが出来る。
【特許文献１】特開２００５−００５８４１号公報
【特許文献２】特開２００４−３２８６０３号公報
【特許文献３】特開２００３−２６４７６６号公報
【発明の開示】
【発明が解決しようとする課題】
【０００５】
しかしながら、複数スロットを備えたカメラにおいて、あるスロットをバックアップ用として機能させ、通常の撮影時における撮影データを記録する以外にも、バックアップ用として設定されているスロットに装填されている記録媒体にも記録する場合、ユーザー自身による記録媒体の交換作業や、記録媒体毎の記憶容量等の差異により、ユーザー自身が現状どういう状況になっているのか把握しづらくなってしまうことと、カメラの制御上通常制御できない状況、つまりバックアップ機能が正常に動作させることが不可能な状況が発生することが考えられ、そのままではユーザーに現状どのような状況にあり、正常に動作させることができなくなっているのかが分からなくなり、使い勝手が非常に煩雑になってしまいかねない。
【０００６】
本発明は上記の点に鑑みてなされたものであり、もしバックアップ機能が正常に動作させることができない状況、もしくは電源がOffされた時点と比較して、何かしらの状況変化が発生した場合は、それを警告・確認する意味での表示をユーザーに明示することで、カメラ側の制御と、ユーザーの意図する制御の整合をとることを目的とする。
【課題を解決するための手段】
【０００７】
本発明は上記目的を達成する為、表示機能を備えたカメラにおいて、複数の記録媒体を装填することが可能な複数スロットを備え、該スロットのうち、ある1つをメイン記録用、少なくとも1つ以上をバックアップ記録用としてデータを書き込む事が可能な書き込み手段と、それぞれのスロットに記録媒体が装填されているか否かを検出する装填状態確認手段と、それぞれのスロットに記録媒体の残容量を検出する残容量検出手段と、それぞれのスロットに装填されている記録媒体の不具合を検出する不具合検出手段と、該スロットのうち、ある1つをメイン記録用、少なくとも1つ以上をバックアップ記録用として設定するバックアップ機能設定手段と、上記装填状態検出手段と、残容量検出手段と、不具合検出手段と、バックアップ機能設定手段より、特定の条件が発生したか否かを判断する条件判断手段と、上記条件判断手段により、特定の条件が発生したと判断した場合は、警告表示する警告表示手段とを備えることを特徴とするカメラを提供する。
【０００８】
さらに上記のようなカメラにおいて、特定の条件とは、バックアップ機能設定手段において、バックアップ機能を使用すると設定されている状況で、残容量検出手段により、バックアップ用記録媒体の残容量が一杯になった時であることを特徴とする。
【０００９】
さらに上記のようなカメラにおいて、特定の条件とは、バックアップ機能設定手段において、バックアップ機能を使用すると設定されている状況で、残容量検出手段により、バックアップ用記録媒体ではない、記録媒体の残容量が一杯になった時であることを特徴とする。
【００１０】
さらに上記のようなカメラにおいて、特定の条件とは、バックアップ機能設定手段において、バックアップ機能を使用すると設定されている状況で、不具合検出手段により、バックアップ用の記録媒体に何かしらの不具合が発生した時であることを特徴とする。
【００１１】
さらに上記のようなカメラにおいて、特定の条件とは、バックアップ機能設定手段において、バックアップ機能を使用すると設定されている状況で、不具合検出手段により、バックアップ用記録媒体ではない、記録媒体に何かしらの不具合が発生した時であることを特徴とする。
【００１２】
さらに上記のようなカメラにおいて、特定の条件とは、バックアップ機能設定手段において、バックアップ機能を使用すると設定されている状況で、カメラの電源がOff時に、装填状態検出手段により、バックアップ用記録媒体が交換され、その後カメラの電源がOnにされた時であることを特徴とする。
【００１３】
さらに上記のようなカメラにおいて、特定の条件とは、バックアップ機能設定手段において、バックアップ機能を使用すると設定されている状況で、カメラの電源がOff時に、装填状態検出手段により、バックアップ用記録媒体ではない、記録媒体が交換され、その後カメラの電源がOnにされた時であることを特徴とする。
【００１４】
さらに上記のようなカメラにおいて、特定の条件とは、バックアップ機能設定手段において、バックアップ機能を使用すると設定されている状況で、バックアップ用記録媒体が装填されていない状況で、カメラの電源をOnにされた時であることを特徴とする。
【００１５】
さらに上記のようなカメラにおいて、特定の条件とは、バックアップ機能設定手段において、バックアップ機能を使用すると設定されている状況で、バックアップ用記録媒体ではない記録媒体が装填されていない状況で、カメラの電源をOnにされた時であることを特徴とする。
【００１６】
さらに上記のようなカメラにおいて、特定の条件とは、バックアップ機能設定手段において、バックアップ機能を使用すると設定されている状況で、残容量検出手段により、バックアップ用記録媒体、バックアップ用記録媒体ではない記録媒体の両方の残容量が一杯になったのを検出した時であることを特徴とする。
【００１７】
さらに上記のようなカメラにおいて、特定の条件とは、バックアップ機能設定手段において、バックアップ機能を使用すると設定されている状況で、不具合検出手段により、バックアップ用記録媒体、バックアップ用記録媒体ではない記録媒体の両方の記録媒体に不具合が生じた時であることを特徴とする。
【００１８】
さらに上記のようなカメラにおいて、特定の条件とは、バックアップ機能設定手段において、バックアップ機能を使用すると設定されている状況で、装填状態検出手段により、バックアップ用記録媒体、バックアップ用記録媒体ではない記録媒体の両方の記録媒体の装填を検出せぬまま、カメラの電源をOnした時であることを特徴とする。
【発明の効果】
【００１９】
以上説明したように、本発明に係る条件判断手段によれば、バックアップ機能設定時における、バックアップ機能利用可否状況、特にバックアップ機能が正常に動作できない場合や、電源Ofｆ時点と比較して、何かしらの状況変化が発生した際に警告表示をする為、ユーザーが一体どのような状態で正常に動作できないのかを把握することができ、正常に動作させる為に必要な対処に困らずに済み、カメラ側の制御と、ユーザーの意図する制御の整合をとることが可能になる。
【発明を実施するための最良の形態】
【００２０】
以下、本発明の実施の形態を図面に基づいて具体的に説明する。
【００２１】
図1は複数スロットを装填することが可能である、警告・表示機能を備えたカメラのブロック図である。
【００２２】
図２は条件判断手段のフローチャートである。
【００２３】
図1は本発明の実施例を示す構成である。図1において、1は焦点距離を変更可能な撮影レンズ、2はシャッタ等の露光制御手段、3はCCD等の固体撮像素子を用いた撮像センサやCDS・A/D回路を含む撮像部、4はメモリ制御回路、5はメモリ制御回路4によって制御されるメモリ、6は全体を制御するCPU、7は撮影モードを変更するダイアル、レリーズボタン等の操作部材を意味する操作部、8はWB検出など前処理を行う画像処理回路1、９はWB制御、JPEG圧縮など後処理を行う画像処理回路2である。
【００２４】
同図において、撮影レンズ1及び露光制御手段2を介して、固体撮像素子3に結像された撮影画像は、各センサで信号電荷に変換され、CDS・A/D回路を経て、R・G・B信号に変換される。
【００２５】
変換されたR・G・B信号は、メモリ制御部4によって一旦メモリ5に格納され、その後メモリ5に格納されたR・G・B信号は第1画像処理回路8に加えられる。第1画像処理回路8では、R・G・B信号を用いてWB調整値の演算を行い、前処理がすべて終了すると、画像データは再度メモリ5に格納される。
【００２６】
第1画像処理回路8で得られたWB調整値は、CPU6が所定の演算を行った後、メモリ制御部を介してメモリ5に格納される。
【００２７】
メモリ5に格納された画像データと、WB調整値は第2画像処理回路9に送られ、圧縮/伸張など後処理を施された後に、装填状態検出手段と残容量検出手段、バックアップ機能設定手段により得られる書き込み対象となるスロット10〜12に装填されている記録媒体13〜15に記録されることになる。
【００２８】
また、それぞれのスロットに記録媒体が装填されているか否かを検出する装填状態検出装置と、それぞれのスロットに装填されている記録媒体の残容量が一杯であるか否かを検出する残容量検出装置は、各スロット10〜12に含まれているものとする。
【００２９】
まず本明細書におけるバックアップ機能について説明する。
【００３０】
バックアップ機能は、少なくとも2つ以上のスロットにメディアが装填される状態が発生した場合に、ユーザーがどのスロットに装填されているメディアをメイン記録用に、どのスロットに装填されているメディアをバックアップ記録用にするかを、あらかじめ設定しておくことができる機能である。
【００３１】
つまり、1つのメイン記録用スロットと、少なくとも1つ以上のバックアップ記録用スロットが設定可能ということになる。
【００３２】
設定操作自体の受け付けに関しては、特にメディアの装填状況は問わない。
【００３３】
次に、条件判断手段について説明する。
【００３４】
図２は条件判断手段における、バックアップ機能についてのフローチャートである。
【００３５】
このフローチャート全体の処理を行うのは、カメラ制御全体において、電源スイッチOn時の立ち上がり時、及び表示制御部における各表示更新のタイミングには必ず行われるものとする。
【００３６】
まず始めに、バックアップ機能についての設定があるかどうかの判定をする(S11)。
【００３７】
バックアップ機能についての設定がある場合は、その後電源投入時における立ち上がり時かどうかの判定をする(S12)。
【００３８】
立ち上がり時においては、電源スイッチOffの間にメイン記録用、もしくはバックアップ記録用のメディアのいずれかでも交換された履歴があるかどうかの判定をする（S13）。
【００３９】
上記判定において、いずれかでもメディアが交換されたという履歴がある場合は、ユーザーに電源スイッチOffする前のバックアップ機能状態が異なる為、それを促す警告表示をする（S14）。
【００４０】
このメディア交換履歴あり表示は、交換履歴ありを示す“Card chg”と、メイン記録用、バックアップ記録用のいずれのスロットに装填されていたメディアが交換されたのかを示すスロット番号と、メイン記録用もしくはバックアップ記録用指標セグメントも表示する（図7）。
【００４１】
電源スイッチOn時の立ち上がりではない表示更新時、もしくは立ち上がり時でメディア交換履歴がない場合、メイン記録用スロット及び、バックアップ記録用スロットに設定されているスロット番号、及び該スロットに装填されている、メディアに関する情報を取得する（S15）。これらの情報は、主に、カードの装填状態、カード状態、カード残容量状態、ファイル番号/フォルダ番号状態を示す。
【００４２】
上記情報を元に、まずメイン記録用スロット判定を行う（S16）。
【００４３】
メイン記録用スロット判定については、図３に示すとおりであり、後に詳細に説明する。
【００４４】
上記情報を元に、次にバックアップ記録用スロット判定を行う（S17）。
【００４５】
バックアップ記録用スロット判定については、図４に示すとおりであり、後に詳細に説明する。
【００４６】
バックアップ機能設定の判定で、設定がない場合は、まず1枚以上のメディアが装填されているか否かの判定を行う（S18）。
【００４７】
1枚もメディアが装填されていない場合は、該条件判断処理は終了となる。
【００４８】
但し、1枚でもメディアが装填されている場合は、現状アクティブスロットとして利用されているメディアに対して、カードの装填状態、カード状態、カード残容量状態、ファイル番号/フォルダ番号状態を取得し、それに応じた表示制御を行うが、本明細書ではこの部分に関しては詳細には触れない。
【００４９】
メイン記録用、バックアップ記録用スロット判定処理が済んだ時点で、該条件判断手段は終了となる。
【００５０】
終了時点で、メディア交換履歴あり表示がなされている場合(S18)は、バックアップ機能そのものが正常に動作できないわけではない為、ある一定時間表示した後(S19)、警告表示を終了させる。
【００５１】
次に図３のメイン記録用スロット判定について説明する。
【００５２】
まず最初にメイン記録用スロットに設定されているメディアの装填状態を確認する（S21）。
【００５３】
メディアが装填されていない場合は、バックアップ機能が正常に動作させることができないということをユーザーに警告する為、メイン記録用メディア未装填警告表示を行う（S22）。
【００５４】
このメイン記録用メディア未装填警告表示は、記録対象スロット選択表示セグメントを点滅させる、すなわちメイン記録用スロット選択表示セグメントを点滅させることで、それを意味させる（図9：図9において灰色の選択矢印部が点滅する）。
【００５５】
次にメイン記録用スロットにメディアが装填されている場合は、装填されているメディアの状態が正常であるかどうかを判定する(S23)。
【００５６】
正常でない場合は、バックアップ機能が正常に動作させることができないということを、ユーザーに警告する為、メイン記録用メディア異常警告表示を行う(S24)。
【００５７】
このメイン記録用メディア異常警告表示は、メディア異常であることを意味する、“Card Err”を表示すると共に、メイン記録用スロット番号、メイン記録用スロット指標セグメント、も表示する（図５）。
【００５８】
次にメイン記録用スロットに装填されているメディアが正常である場合は、メディア残容量があるか否かを判定する（S25）。
【００５９】
容量がない場合は、バックアップ機能が正常に動作させることができないということを、ユーザーに警告する為、メイン記録用メディア容量Full警告表示を行う(S26)。
【００６０】
このメイン記録用メディア容量Full警告表示は、メディア容量Fullであることを意味する、“Card Full”を表示すると共に、メイン記録用スロット番号、メイン記録用スロット指標セグメント、も表示する（図６）。
【００６１】
次にメイン記録用スロットに装填されているメディアに残容量がある場合は、メディア内のファイル番号及びフォルダ番号がFullでないかどうかを判定する（S27、S29）。
【００６２】
ファイル番号Fullもしくは、フォルダ番号Fullの場合は、バックアップ機能が正常に動作させることができないということを、ユーザーに警告する為、メイン記録用メディアファイル/フォルダ番号Full警告表示を行う（S28）。
【００６３】
このメイン記録用メディアファイル/フォルダ番号Full警告表示は、ファイル/フォルダ番号Fullであることを意味する“Full”を表示すると共に、メイン記録用スロット番号、メイン記録用スロット指標セグメント、も表示する（図8）。
【００６４】
上記メイン記録用スロットに装填されているメディア状態のすべてが判定し終わると、メイン記録用スロット判定処理は終了となる。
【００６５】
次に図4のバックアップ記録用スロット判定について説明する。
【００６６】
まず最初にバックアップ記録用スロットに設定されているメディアの装填状態を確認する（S31）。
【００６７】
メディアが装填されていない場合は、バックアップ機能が正常に動作させることができないということをユーザーに警告する為、バックアップ記録用メディア未装填警告表示を行う（S32）。
【００６８】
このバックアップ記録用メディア未装填警告表示は、記録対象スロット選択表示セグメントを点滅させる、すなわちバックアップ記録用スロット選択表示セグメントを点滅させることで、それを意味させる（図9：図9において灰色の選択矢印部が点滅する）。
【００６９】
次にバックアップ記録用スロットにメディアが装填されている場合は、装填されているメディアの状態が正常であるかどうかを判定する(S33)。
【００７０】
正常でない場合は、バックアップ機能が正常に動作させることができないということを、ユーザーに警告する為、バックアップ記録用メディア異常警告表示を行う(S34)。
【００７１】
このバックアップ記録用メディア異常警告表示は、メディア異常であることを意味する、“Card Err”を表示すると共に、バックアップ記録用スロット番号、バックアップ記録用スロット指標セグメント、も表示する（図５）。
【００７２】
次にバックアップ記録用スロットに装填されているメディアが正常である場合は、メディア残容量があるか否かを判定する（S35）。
【００７３】
容量がない場合は、バックアップ機能が正常に動作させることができないということを、ユーザーに警告する為、バックアップ記録用メディア容量Full警告表示を行う(S36)。
【００７４】
このバックアップ記録用メディア容量Full警告表示は、メディア容量Fullであることを意味する、“Card Full”を表示すると共に、バックアップ記録用スロット番号バックアップ記録用スロット指標セグメント、も表示する（図６）。
【００７５】
次にバックアップ記録用スロットに装填されているメディアに残容量がある場合は、メディア内のファイル番号及びフォルダ番号がFullでないかどうかを判定する（S37、S39）。
【００７６】
ファイル番号Fullもしくは、フォルダ番号Fullの場合は、バックアップ機能が正常に動作させることができないということを、ユーザーに警告する為、バックアップ記録用メディアファイル/フォルダ番号Full警告表示を行う（S38）。
【００７７】
このバックアップ記録用メディアファイル/フォルダ番号Full警告表示は、ファイル/フォルダ番号Fullであることを意味する“Full”を表示すると共に、バックアップ記録用スロット番号、バックアップ記録用スロット指標セグメント、も表示する（図8）。
【００７８】
上記バックアップ記録用スロットに装填されているメディア状態のすべてが判定し終わると、バックアップ記録用スロット判定処理は終了となる。
【００７９】
また、表示に関してはメイン記録用、バックアップ記録用の条件が同時に成立した場合には、両方を重ね合わせた表示を出すことで、両方が何かしらの警告状態にあることをユーザーに示す。
【図面の簡単な説明】
【００８０】
【図１】今回の実施例におけるブロック図である。
【図２】条件判断手段におけるフローチャート図を示す。
【図３】メイン記録用スロットに装填されているメディアに関する判定のフローチャート図を示す。
【図４】バックアップ記録用スロットに装填されているメディアに関する判定のフローチャート図を示す。
【図５】メイン記録用もしくは、バックアップ記録用スロットに装填されているメディアに不具合が生じた場合の表示例
【図６】メイン記録用もしくは、バックアップ記録用スロットに装填されているメディアの残容量が一杯になった場合の表示例
【図７】メイン記録用もしくは、バックアップ記録用スロットに装填されているメディアが、カメラの電源Off時に交換された後に電源Onされた場合の表示例
【図８】メイン記録用もしくは、バックアップ記録用スロットに装填されているメディアのファイル番号もしくはフォルダ番号が一杯になった場合の表示例
【図９】バックアップ機能の設定有時に、メイン記録用もしくは、バックアップ記録用メディアが装填されていない場合の表示例
【符号の説明】
【００８１】
１  撮影レンズ
２  露光制御手段
３  撮像部
４  メモリ制御部
５  メモリ
６  中央演算処理部（CPU）
７  操作部
８  第1画像処理回路
９  第2画像処理回路、
１０  スロット１
１１  スロット２
１２  スロット３
１３  記録媒体１
１４  記録媒体２
１５  記録媒体３
【図１】
2007081964.tif 000003
【図２】
2007081964.tif 000004
【図３】
2007081964.tif 000005
【図４】
2007081964.tif 000006
【図５】
2007081964.tif 000007
【図６】
2007081964.tif 000008
【図７】
2007081964.tif 000009
【図８】
2007081964.tif 000010
【図９】
2007081964.tif 000011